(57)【要約】  上位ホストシステムでは、複数本の親検体の内、一番初めに来た親検体が、どのシステムから投入されたかを認識し、記憶する。上位ホストシステムから、検体前処理システムへ分析依頼を発行する際、一番初めに投入されたシステムとは、異なるシステムから親検体（検体を識別するバーコードが同じ検体）を投入された場合、「投入したシステムが間違っている」と判断し、分注動作を実施しないようにするため、「依頼無し」（何もしない依頼）を発行し、検体前処理システムでは、上位ホストシステムから「依頼無し」を発行された場合は、子検体を作成せずに、決まった位置のトレイに収納する。これにより、作成済み項目用の子検体を再作成してしまう問題を解消し、複数システム構成を円滑に運用することができる。
2013099711.tif 000002
【特許請求の範囲】
【請求項１】
複数の検体前処理システムを備えた複数構成のシステムの制御方法において、
当該システムで検体を初回処理した際の検体前処理システムと、初回処理時以降に当該検体が再投入された際の検体前処理システムとが異なる場合には、投入した検体前処理システムが間違っていると判断し、
当該検体を分注せずに回収し、
その旨を通知するよう制御する制御方法。
【請求項２】
請求項１記載の制御方法において、
再投入された検体については、初回処理時に子検体の作成が完了した以外の子検体を作成する制御方法。
【請求項３】
請求項１または２に記載の制御方法において、
同一の検体情報を有する複数本の検体容器が当該システムの異なる検体前処理システムに投入された場合は、最先に当該検体情報を上位ホストシステムに送信した検体前処理システムで子検体の作成を行なう制御方法。
【請求項４】
複数の検体前処理システムを備えた複数構成のシステムにおいて、
検体を特定する検体情報を記憶した記憶媒体を有する検体容器と、
前記記憶媒体から検体情報を読取る読取手段と、
当該システムで検体を初回処理した際の検体の検体情報、及び初回処理した際の検体前処理システムを特定するシステム情報を記憶する記憶手段と、
新たな検体が当該システムに投入されたときに、前記読取手段が当該検体について読取った検体情報、当該新たな検体が投入された際の前処理システムのシステム情報、前記記憶手段に記憶されたシステム情報に基づき、検体を初回処理した際のシステム情報と初回処理時以降に当該検体が投入された際のシステム情報とが一致しない場合に投入した検体前処理システムが間違っていると判断する判定手段と、
前記判定手段が一致しないと判断した場合に、当該検体の分注の実施しないように制御する制御手段と、
前記判定手段が一致しないと判断した場合に、その旨を通知する通知手段と、を有する前処理システム。
【請求項５】
請求項４記載の前処理システムにおいて、
前記複数の検体前処理装置はそれぞれ、前記記憶手段又は前記制御手段の少なくともいずれかと通信可能な通信手段を有する前処理システム。
【請求項６】
請求項４記載の前処理システムにおいて、
再投入された検体については、初回処理時に子検体の作成が完了した以外の子検体を作成するよう制御する前処理システム。
【請求項７】
請求項４〜６のいずれかに記載の前処理システムにおいて、
同一の検体情報を有する複数本の検体容器が当該システムの異なる検体前処理システムに投入された場合、
最先に当該検体情報を上位ホストシステムに送信した検体前処理システムが初回処理のシステムとして扱われる前処理システム。
【発明の詳細な説明】
【技術分野】
【０００１】
本発明は臨床検査用の検体前処理システムにおいて複数システム構成を円滑に運用する技術に関する。
【背景技術】
【０００２】
近年、臨床検査の分野において、血液や尿などの検体を生化学分析あるいは免疫分析するために分注などの前処理を施す、検体前処理装置の処理の高速化が望まれている。処理効率高速化のための解決手段の一つとして、検体前処理装置を複数構成とし、多数の検体を並列処理させるシステムがある。【０００３】
このようなシステム構成の場合、同じバーコードを貼付した検体を複数回、あるいは複数本システムに投入したときに、既に作成済みの子検体を再作成してしまうことがあった。【０００４】
例えば、一旦投入した検体の処理が終了した後に再検等の理由で再度処理する必要が生じた場合や、検体の容量が多いために複数本の検体容器にまたがって投入される検体の場合には、同じバーコードを貼った検体を、複数回（複数本）システムに投入する必要がある。単一の検体前処理システムのみを備えるシステム構成の場合は、これら同一のバーコードが貼付された検体は同じ検体前処理システムに投入されるため、システムは投入された検体が、「初回投入」か、「２回目以降の投入」かを判断することはできる。しかしながら、検体前処理システムが複数連結されたシステム構成の場合は、同じバーコードを貼った複数の検体を、別々の検体前処理システムに投入すると、それぞれの検体前処理システムでは、この検体が「初回投入」なのか、「２回目以降の投入」なのかを判断することができなかった。【０００５】
例えば図３のように、検体前処理システムが複数連結されたシステム構成である場合で、かつ、複数本の親検体（検体を識別するバーコードが同じ検体）が投入された場合、最初の親検体と、２本目以降の親検体を別の検体前処理システムから投入すると、それぞれの検体前処理システムでは投入されたそれぞれの親検体を「初回投入」と判断し、当該親検体に依頼されている全ての分析項目を分析するための子検体を作成する。そのため、同じ分析項目用の子検体（８１、８２）が複数作成されることになり、結果的に複数の測定結果が出力されてしまう。【０００６】
上記問題に鑑みて、図４のように、既に分注が終了した分析項目用の子検体を再作成しないようにするため、分注報告（６０）の際に上位ホストシステム内の子検体作成依頼情報を削除するような処理を行うことも考えられる。しかし、上位ホストシステム（３０）が子検体作成依頼情報を検体前処理システムに送信してから、分注報告が送信されるまでの間に、別の検体前処理システムに２本目以降の検体が投入されてしまうと、タイムラグ（８３）により依頼情報の削除が間に合わずに上記と同様の問題を回避できない。【０００７】
これによって不要な子検体を作成してしまうためのシステム全体の処理効率の低下や、子検体容器等の消耗品を余計に使用してしまうことによるランニングコストの増大等の問題があった。【０００８】
したがって、検体前処理システムが複数連結されたシステム構成の場合は、同じバーコードを貼った検体を複数回（複数本）投入しないように顧客運用に制限を加える等の対応が必要であった。複数の検体前処理システムを備えたシステム構成は、例えば特許文献１に開示されている。また、複数本の親検体を投入する際の処理方法は特許文献２に開示されている。
【先行技術文献】
【特許文献】
【０００９】
【特許文献１】特開２００１−１５９６３５号公報
【特許文献２】特開２００７−０４０９３２号公報
【発明の概要】
【発明が解決しようとする課題】
【００１０】
上記課題に鑑みた本発明の課題は、検体前処理システムを複数備えたシステム構成において、同一の親検体を複数本あるいは複数回投入した場合であっても、子検体を重複して作成することのない検体前処理システムを提供することにある。
【課題を解決するための手段】
【００１１】
上記の問題を解決するために、本発明のシステムの制御方法は図１のように、検体前処理システムに検体を投入し到着確認を上位ホストシステムに送信する際、上位ホストシステムでは複数本の親検体の内、一番初めに来た親検体が、どのシステムから投入されたかを認識し、記憶する。その後、上位ホストシステムから、検体前処理システムへ分析依頼を発行する際、一番初めに投入されたシステムとは、異なるシステムから親検体（検体を識別するバーコードが同じ検体）を投入された場合は、「投入したシステムが間違っている」と判断し、分注動作を実施しないようにするため、依頼無し（何もしない依頼）を発行する。検体前処理システムでは、上位ホストシステムから依頼無しを発行された場合は、子検体を作成せずに、決まった位置のトレイに収納する。収納した時点で、顧客に対して、「投入したシステムが間違っている」旨のアラーム表示する。【００１２】
類似な手段として、図２のように一番初めに来た親検体が、どのシステムから投入されたかを認識し、記憶する媒体として、上位ホストシステムではなく、システム間で共通回線に接続された共有データベ−スを用いることも可能である。
【発明の効果】
【００１３】
本発明によれば、検体前処理システムが複数のシステム構成であった場合で、かつ、複数本の親検体が存在する場合、顧客が間違って異なったシステムに投入したとしても、分注報告済み項目用の子検体を再作成する問題は発生しない。また、アラーム表示により、本来のシステムから投入し直すように促すことができる。
【図面の簡単な説明】
【００１４】
【図１】複数システム構成に対応した検体前処理システム。
【図２】共有データベースを利用した複数システム構成に対応した検体前処理システム。
【図３】複数システム構成における問題点の説明図１。
【図４】複数システム構成における問題点の説明図２。
【図５】アラーム表示部の表示例。
【図６】実施例１の処理フロー。（正常時）
【図７】実施例１の処理フロー。（投入したシステムが間違っている場合）
【図８】実施例２の処理フロー。（正常時）
【図９】実施例２の処理フロー。（投入したシステムが間違っている場合）
【発明を実施するための形態】
【００１５】
本発明の実施例を図面に基づいて詳細に説明する。
【００１６】
＜実施例１＞
図１は本発明に係る、複数システム構成に対応した検体前処理システムを表すブロック図である。
【００１７】
図１において、検体前処理システム１（１０）及び、検体前処理システム２（２０）は、投入された親検体から分析装置（１、２）で分析するための子検体を作成するシステムであり、アラーム表示機能を有する操作部（１１、２１）、バーコード貼付け部（１３、２３）、分注部（１４、２４）、収納部（１５、２５）により構成される。検体前処理システム１、２（１０、２０）は通信回線によって上位ホストシステムと通信可能である。
【００１８】
親検体が検体前処理システムの投入部に到着すると、親検体容器に貼付されたバーコードラベルが読取られて親検体に関する情報が取得される。得られた親検体情報は、検体前処理システムから上位ホストシステムへ親検体到着情報（４０）として送信される。なお、親検体情報が記憶される記憶媒体はバーコードラベルに限られず、例えばＲＦＩＤなどであっても良い。上位ホストシステムでは検体データベース（初回投入システム情報）（３２）を参照し、当該初回投入システム情報にこの親検体情報が既に格納されていれば、当該親検体は同一の親検体の複数回あるいは複数本目の投入であると判断する。上位ホストシステムの検体データベース（初回投入システム情報）に、当該親検体情報が格納されて無ければ、送信された親検体は初回投入であると判断して、この親検体情報及び親検体到着情報を送信した検体前処理システムを特定する情報を初回投入システム情報に記憶する。
【００１９】
複数回あるいは複数本目の投入であると判断した場合、上位ホストシステムは親検体到着情報（４０）が発信された検体前処理システムと、初回投入システム情報（３２）に記憶された初回投入時の検体前処理システムとが同じシステムか否かを判断する。同じ検体前処理システムに投入されていれば、上位ホストシステムは検体データベース（依頼情報）（３１）を参照して、子検体の作成依頼情報（５０）を、親検体到着情報（４０）を送信した検体前処理システムへ返信する。検体前処理システムは依頼情報（５０）に基づいて、分注部で分注動作を実施する。分注動作が完了すると検体前処理システムは分注報告（６０）を上位ホストシステムへ送信する。分注動作により作成された子検体は分析装置１、２へ搬送される。
【００２０】
一方、複数回あるいは複数本目の投入であって、親検体到着情報（４０）を送信した検体前処理システムと初回投入システム情報（３２）に記憶された検体前処理システムとが異なる場合、「投入したシステムが間違っている」と判断し、分注動作を実施しないようにするため、上位ホストシステムは検体前処理システムに対して「依頼無し（何もしない依頼）」の依頼情報（５０）を返信する。検体前処理システムは依頼無しの場合は、分注動作を実施せずに図５に示すようなアラームを表示して子検体を再作成しない。
【００２１】
図６に、初回投入システム情報が検体前処理システム１（１０）であって、２本目以降の検体も検体前処理システム１（１０）に投入された場合の検体処理フローを示す。
【００２２】
親検体が投入部（１２）に投入されたことを検知すると、検体前処理システム１（１０）は親検体投薬情報（４０）を上位ホストシステム（３０）に送信する。上位ホストシステム（３０）は送信された親検体情報に基づいて初回投入システム情報（３２）を参照する。
【００２３】
初回投入システム情報（３２）には、初回投入時に処理したシステムとして、検体前処理システム１（１０）が記憶されており、今回投入されたシステムと一致する。よって上位ホストシステム（３０）は「依頼有り」と判断して（９１）、検体データベース（依頼情報）（３１）に記憶された子検体作成依頼情報（５０）を検体前処理システムへ送信する。検体前処理システムは依頼情報（５０）により分注動作を実施する。分注動作が完了すると上位システムへ分注報告（６０）を送信する。分注動作により作成された子検体は分析装置１、２へ搬送される。
【００２４】
図７に、初回投入システム情報が検体前処理システム１（１０）であって、２本目以降の検体が検体前処理システム２（２０）に投入された場合の検体処理フローを示す。
【００２５】
親検体が投入部（２２）に投入されたことを検知すると、検体前処理システム２（２０）は親検体投入情報（４０）を上位ホストシステム（３０）に送信する。上位ホストシステム（３０）は送信された親検体情報に基づいて初回投入システム情報（３２）を参照する。
【００２６】
図７の場合、初回投入システム情報（３２）には、初回投入時に処理したシステムとして、検体前処理システム１（１０）が記憶されており、今回親検体到着情報（４０）を受けたシステムと異なる。よって、「投入したシステムが間違っている」と判断し、分注動作を実施しないようにするため、上位ホストシステムは「依頼無し（９２）」（何もしない依頼）の依頼情報（５０）を検体前処理システムへ返信する。検体前処理システムは依頼無しの場合は、分注動作を実施せずに図５に示すようなアラームを表示する。親検体は収納部（２５）に収納される。
【００２７】
＜実施例２＞
次に他の実施例である共有データベースを有するシステムを説明する。
【００２８】
図２は本発明に係る、共有データベースを利用した複数システム構成に対応した検体前処理システムを表すブロック図である。
【００２９】
図２において、検体前処理システム１（１０）、検体前処理システム２（２０）は、アラーム表示機能を有する操作部（１１、２１）、バーコード貼付け部（１３、２３）、分注部（１４、２４）、収納部（１５、２５）により構成される。また、上位ホストシステム、検体前処理システム１（１０）、検体前処理システム２（２０）と、共有データベース（初回投入システム情報）（７１）は共通の回線（７０）で接続される構成とする。
【００３０】
新たな親検体が検体前処理システムに到着すると、親検体容器に貼付されたバーコードラベルが読取られて親検体に関する情報が取得される。得られた親検体情報は、検体前処理システムから上位ホストシステムへ親検体到着情報（４０）として送信される。
【００３１】
上位ホストシステムは親検体情報をキーに検体データベース（依頼情報）（３１）を参照し、子検体作成依頼情報（５０）を検体前処理システムへ返信する。
【００３２】
またそれと平行して、親検体が検体前処理システムに到着すると、検体前処理装置は共有データベース（初回投入システム情報）（７１）に問い合わせて親検体情報が既に共有データベースに格納されているか否かを判断する。
【００３３】
共有データベースに当該親検体情報が格納されていない場合、この親検体容器は初回投入であると判断し、更に、共有データベース上に親検体情報及び当該親検体到着情報を送信した検体前処理システムを特定する情報を記憶する。
【００３４】
共有データベースに親検体情報が格納されている場合は、初回投入時の検体前処理システムと、今回投入された検体前処理システムとが同じか否かを判断する。初回投入時の検体前処理システムと、今回投入時の検体前処理システムとが同じシステムであれば、検体前処理システムは子検体作成依頼情報（５０）に基づいて分注動作を実施する。分注動作が完了すると分注報告（６０）を上位ホストシステムへ送信する。分注動作により作成された子検体は分析装置１、２へ搬送される。初回投入時の検体前処理システムと、今回投入された検体前処理システムとが異なる場合、今回投入された検体前処理システム自身が共有データベースへの問い合わせによって投入装置情報（７１）が異なることを認識できるため、検体前処理システムは依頼情報（５０）を無視し、分注動作を実施せずに図５に示すようなアラームを表示して子検体を再作成しない。
【００３５】
図８に、初回投入システム情報が検体前処理システム２（２０）であって、２本目以降の検体も検体前処理システム２（２０）に投入された場合の検体処理フローを示す。
【００３６】
親検体が投入部（２２）に投入されたことを検知すると、検体前処理システム２（２０）は親検体到着情報（４０）を上位ホストシステム（３０）に送信する。また、これと同時に検体前処理システム２（２０）は、共通回線７０を介して共有データベースの初回投入システム情報（７１）を参照する。
【００３７】
初回投入システム情報には初回投入時に処理したシステムとして、検体前処理システム２（２０）が記憶されており、今回投入されたシステムと一致する。よって、検体前処理システムは「上位ホストからの依頼実行（９１）」を選択し、上位ホストシステムから送信された依頼情報（５０）に基づいて分注動作を実施する。分注動作が完了するとその旨を分注報告（６０）として上位ホストシステムへ送信する。分注動作により作成された子検体は分析装置１、２へ搬送される。
【００３８】
図９に、初回投入システム情報が検体前処理システム２（２０）であって、２本目以降の検体を検体前処理システム１（１０）に投入した場合の検体処理フローを示す。
【００３９】
親検体が投入部（１２）に投入されたことを検知すると、検体前処理システム１（１０）は親検体到着情報（４０）を上位ホストシステム（３０）に送信する。また、これと同時に検体前処理システム１（１０）は、共通回線（７０）を介して共有データベースの初回投入システム情報（７１）を参照する。
【００４０】
初回投入システム情報には、初回投入時の検体を処理したシステムとして、検体前処理システム２（２０）が記憶されており、今回投入されたシステムとは一致しない。よって、検体前処理システムは、「投入したシステムが間違っている」と判断し、分注動作を実施しないようにするため、「依頼無し（９２）」を選択し、上位システムから送信された子検体作成依頼情報（５０）を無視する。親検体は分注動作を実施せずに検体前処理システム１の収納部（１５）に収納され、図５に示すようなアラームを表示する。
【００４１】
＜実施例３＞
他の実施例を説明する。
【００４２】
例えば、検体前処理システム１にて初回処理を実施した検体について、分注部で子検体を作成し、親検体を収納部に収納した後で、他の分析項目の依頼の発生により、再度親検体を前処理システムに投入する場合を考える。初回処理時の分注動作が終了した時点で、検体前処理システム１（１０）から上位ホストシステム（３０）に分注報告が通知される。分注報告を受けた上位システムは検体データベースに記憶された検体情報から、既に子検体を作成済みの分析項目にフラグを付加、もしくは依頼を削除する。
【００４３】
オペレータが検体前処理システム２に再投入検体を投入すると、検体前処理システム２は再投入検体であることを検出して、その親検体到着情報（４０）を上位ホストシステムに送信する。上位ホストシステムは、再投入用の検体前処理システムからの問い合わせであることを検知すると、当該検体についての依頼情報から、検体前処理システム１にて既に子検体が作成済みとのフラグが立てられた分析項目を除いた分析項目分、子検体を作成するように、子検体作成依頼情報を返信する。
【００４４】
この実施例は一度検体が収納された後、再度処理される場合など、初回処理と２回目以降の処理との間に十分な時間が経過していることが必要である。しかし、このように処理することによって、再投入した検体について確実に子検体を作成することが可能となる。
【符号の説明】
【００４５】
１０  検体前処理システム１
１１  検体前処理システム１の操作部
１２  検体前処理システム１の投入部
１３  検体前処理システム１のバーコード貼付け部
１４  検体前処理システム１の分注部
１５  検体前処理システム１の収納部
２０  検体前処理システム２
２１  検体前処理システム２の操作部
２２  検体前処理システム２の投入部
２３  検体前処理システム２のバーコード貼付け部
２４  検体前処理システム２の分注部
２５  検体前処理システム２の収納部
３０  上位ホストシステム
３１  上位ホストシステム内の検体データベース（依頼情報）
３２  上位ホストシステム内の検体データベース（初回投入システム情報）
４０  検体前処理システムから上位ホストシステムへ送信される親検体到着情報
５０  上位ホストシステムから検体前処理システムへ送信される依頼情報
６０  検体前処理システムから上位ホストシステムへ送信される分注実施報告
７０  共通回線
７１  共有データベース（初回投入システム情報）
８１  分析装置１に流された複数の子検体
８２  分析装置２に流された複数の子検体
８３  依頼情報から分注報告までのタイムラグ
９１  初回投入システムなので依頼通りに分注実施する場合の処理
９２  初回投入システムと異なるので分注実施しない場合の処理
【図１】
2013099711.tif 000003
【図２】
2013099711.tif 000004
【図３】
2013099711.tif 000005
【図４】
2013099711.tif 000006
【図５】
2013099711.tif 000007
【図６】
2013099711.tif 000008
【図７】
2013099711.tif 000009
【図８】
2013099711.tif 000010
【図９】
2013099711.tif 000011
【国際調査報告】
2013099711.tif 000012
2013099711.tif 000013
2013099711.tif 000014
2013099711.tif 000015